(57)【要約】【課題】端末装置に大容量コンテンツを配信する。【解決手段】映像配信システムは、自装置に配信済みの映像データであり、原映像から生成される第１の映像データを示す識別情報を映像データ配信装置に出力する識別情報出力部と、表示部に第１の映像データが提示されている間に自装置が操作されることにより生成され、原映像における第２の映像データの提示開始位置を示す提示開始位置情報を含む設定情報を映像データ配信装置に出力する設定情報出力部と、第１の映像データとは異なる映像であり、提示開始位置以降の原映像から生成される第２の映像データを、映像データ配信装置から取得する映像取得部と、を備える端末装置と、端末装置から識別情報を取得する識別情報取得部と、端末装置から設定情報を取得する設定情報取得部と、識別情報及び設定情報に基づいて、第２の映像データを端末装置に出力する映像出力部とを備える映像データ配信装置と、を備える。【選択図】図１
2020022189.tif 000002
【特許請求の範囲】
【請求項１】
端末装置と、映像データを配信する映像データ配信装置とを備える映像配信システムであって、
前記端末装置は、
自装置に配信済みの映像データであって、原映像から生成される第１の映像データを示す識別情報を前記映像データ配信装置に対して出力する識別情報出力部と、
自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力部と、
前記第１の映像データとは異なる映像であって、前記提示開始位置以降の前記原映像から生成される第２の映像データを、前記映像データ配信装置から取得する映像取得部と
を備え、
前記映像データ配信装置は、
前記端末装置から出力される前記識別情報を取得する識別情報取得部と、
前記端末装置から出力される前記設定情報を取得する設定情報取得部と、
前記識別情報取得部が取得する前記識別情報及び前記設定情報取得部が取得する前記設定情報に基づいて、前記第２の映像データを前記端末装置に対して出力する映像出力部と
を備える映像配信システム。
【請求項２】
端末装置に配信済みの映像データであって、原映像から生成される第１の映像データを示す識別情報を取得する識別情報取得部と、
前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得部と、
前記識別情報取得部が取得する前記識別情報及び前記設定情報取得部が取得する前記設定情報に基づいて、前記第１の映像データとは異なる映像であって、前記提示開始位置以降の前記原映像から生成される第２の映像データを前記端末装置に対して出力する映像出力部と
を備える映像データ配信装置。
【請求項３】
前記設定情報取得部は、前記原映像における前記第２の映像データの提示開始位置を指定する操作が検出された際に生成された前記提示開始位置情報を含む前記設定情報を取得する、
請求項２に記載の映像データ配信装置。
【請求項４】
前記設定情報取得部は、選手情報、無線通信の種類の情報、視点情報、端末情報及び位置情報の少なくとも一つを更に含む前記設定情報を取得する、
請求項２又は請求項３に記載の映像データ配信装置。
【請求項５】
過去に前記端末装置に対して出力した前記第２の映像データに対応する前記設定情報と、過去に前記第２の映像データを出力した前記端末装置の端末識別情報とを対応付けた状態で記憶する記憶部を更に備え、
前記映像出力部は、前記端末識別情報に対応付けられた前記端末装置から前記設定情報を伴わない前記第２の映像データの配信要求を受信した場合、前記端末識別情報に対応付けて前記記憶部に記憶された前記設定情報に対応付けられている前記第２の映像データを出力する、
請求項２から請求項４のいずれか一つに記載の映像データ配信装置。
【請求項６】
コンピュータに、
端末装置に配信済みの映像データであって、原映像から生成される第１の映像データを示す識別情報を取得する識別情報取得機能と、
前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得機能と、
前記識別情報取得機能により取得される前記識別情報及び前記設定情報取得機能により取得される前記設定情報に基づいて、前記第１の映像データとは異なる映像であって、前記提示開始位置以降の前記原映像から生成される第２の映像データを前記端末装置に対して出力する映像出力機能と
を実現させる映像データ配信装置制御プログラム。
【請求項７】
端末装置に配信済みの映像データであって、原映像から生成される第１の映像データを示す識別情報を取得する識別情報取得ステップと、
前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得ステップと、
前記識別情報取得ステップにおいて取得される前記識別情報及び前記設定情報取得ステップにおいて取得される前記設定情報に基づいて、前記第１の映像データとは異なる映像であって、前記提示開始位置以降の前記原映像から生成される第２の映像データを前記端末装置に対して出力する映像出力ステップと
を含む映像データ配信方法。
【請求項８】
自装置に配信済みの映像データであって、原映像から生成される第１の映像データを示す識別情報を映像データ配信装置に対して出力する識別情報出力部と、
自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力部と、
前記第１の映像データとは異なる映像であって、前記提示開始位置以降の前記原映像から生成される第２の映像データを映像データ配信装置から取得する映像取得部と
を備える端末装置。
【請求項９】
前記設定情報出力部は、前記原映像における前記第２の映像データの提示開始位置を指定する操作が検出された際に生成された前記提示開始位置情報を含む前記設定情報を出力する、
請求項８に記載の端末装置。
【請求項１０】
前記設定情報出力部は、選手情報、無線通信の種類の情報、視点情報、端末情報及び位置情報の少なくとも一つを更に含む前記設定情報を出力する、
請求項８又は請求項９に記載の端末装置。
【請求項１１】
自装置が備える記憶部に前記第２の映像データが記憶されていると判定された場合、前記設定情報に対応する前記第２の映像データを自装置に配信するよう前記映像データ配信装置に要求する、
請求項８から請求項１０のいずれか一つに記載の端末装置。
【請求項１２】
端末装置に、
自装置に配信済みの映像データであって、原映像から生成される第１の映像データを示す識別情報を映像データ配信装置に対して出力する識別情報出力機能と、
自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力機能と、
前記第１の映像データとは異なる映像であって、前記提示開始位置以降の前記原映像から生成される第２の映像データを映像データ配信装置から取得する映像取得機能と
を実現させる端末装置制御プログラム。
【請求項１３】
自装置に配信済みの映像データであって、原映像から生成される第１の映像データを示す識別情報を映像データ配信装置に対して出力する識別情報出力ステップと、
自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力ステップと、
前記第１の映像データとは異なる映像であって、前記提示開始位置以降の前記原映像から生成される第２の映像データを映像データ配信装置から取得する映像取得ステップと
を含む端末制御方法。
【発明の詳細な説明】
【技術分野】
【０００１】
本発明は、映像配信システム、映像データ配信装置、映像データ配信装置制御プログラム、映像データ配信方法、端末装置、端末装置制御プログラム及び端末制御方法に関する。
【背景技術】
【０００２】
従来、動画などの大容量コンテンツを端末装置に対して配信する技術が知られている（例えば、特許文献１を参照。）。
【先行技術文献】
【特許文献】
【０００３】
【特許文献１】特開２０１３−１１５４４０号公報
【発明の概要】
【発明が解決しようとする課題】
【０００４】
ここで、端末装置が指定する大容量コンテンツを配信したいというニーズがある。この高画質な動画とは、例えば、縦２１６０画素、横３８４０画素の４Ｋ映像などである。
しかしながら、この高画質動画を端末装置に対して配信する場合、配信の為の通信回線に流れるトラフィックが大きくなり、情報配信の遅延や情報の欠落といった問題が発生する場合がある。また、端末装置の処理能力によっては、所望するコンテンツを指定する際に、大容量コンテンツの内容を確認して指定することが困難である。
また、スポーツ会場などでは、競技を観戦している観客は、選手全員の動きを見ることができない場合がある。この場合、観客が所有する端末装置上で、観客によって指定された選手を撮像した高画質映像を配信したいという要望がある。
【０００５】
本発明は、上記問題に鑑みて為されたものであり、端末装置に大容量コンテンツを配信することができる映像配信システム、映像データ配信装置、映像データ配信装置制御プログラム、映像データ配信方法、端末装置、端末装置制御プログラム及び端末制御方法を提供することを目的とする。
【課題を解決するための手段】
【０００６】
（１）本発明の一態様は、端末装置と、映像データを配信する映像データ配信装置とを備える映像配信システムであって、前記端末装置は、自装置に配信済みの映像データであって、原映像から生成される第１の映像データを示す識別情報を前記映像データ配信装置に対して出力する識別情報出力部と、自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力部と、前記第１の映像データとは異なる映像であって、前記提示開始位置以降の前記原映像から生成される第２の映像データを、前記映像データ配信装置から取得する映像取得部とを備え、前記映像データ配信装置は、前記端末装置から出力される前記識別情報を取得する識別情報取得部と、前記端末装置から出力される前記設定情報を取得する設定情報取得部と、前記識別情報取得部が取得する前記識別情報及び前記設定情報取得部が取得する前記設定情報に基づいて、前記第２の映像データを前記端末装置に対して出力する映像出力部と、を備える映像配信システムである。
【０００７】
（２）本発明の一態様は、端末装置に配信済みの映像データであって、原映像から生成される第１の映像データを示す識別情報を取得する識別情報取得部と、前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得部と、前記識別情報取得部が取得する前記識別情報及び前記設定情報取得部が取得する前記設定情報に基づいて、前記第１の映像データとは異なる映像であって、前記提示開始位置以降の前記原映像から生成される第２の映像データを前記端末装置に対して出力する映像出力部と、を備える映像データ配信装置である。
【０００８】
（３）本発明の一態様は、上記（２）に記載の映像データ配信装置において、前記設定情報取得部が、前記原映像における前記第２の映像データの提示開始位置を指定する操作が検出された際に生成された前記提示開始位置情報を含む前記設定情報を取得してもよい。
【０００９】
（４）本発明の一態様は、上記（２）又は（３）に記載の映像データ配信装置において、前記設定情報取得部が、選手情報、無線通信の種類の情報、視点情報、端末情報及び位置情報の少なくとも一つを更に含む前記設定情報を取得してもよい。
【００１０】
（５）本発明の一態様は、上記（２）から（４）のいずれか一つの映像データ配信装置において、過去に前記端末装置に対して出力した前記第２の映像データに対応する前記設定情報と、過去に前記第２の映像データを出力した前記端末装置の端末識別情報とを対応付けた状態で記憶する記憶部を更に備え、前記映像出力部は、前記端末識別情報に対応付けられた前記端末装置から前記設定情報を伴わない前記第２の映像データの配信要求を受信した場合、前記端末識別情報に対応付けて前記記憶部に記憶された前記設定情報に対応付けられている前記第２の映像データを出力してもよい。
【００１１】
（６）本発明の一態様は、コンピュータに、端末装置に配信済みの映像データであって、原映像から生成される第１の映像データを示す識別情報を取得する識別情報取得機能と、前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得機能と、前記識別情報取得機能により取得される前記識別情報及び前記設定情報取得機能により取得される前記設定情報に基づいて、前記第１の映像データとは異なる映像であって、前記提示開始位置以降の前記原映像から生成される第２の映像データを前記端末装置に対して出力する映像出力機能とを実現させる映像データ配信装置制御プログラムである。
【００１２】
（７）本発明の一態様は、端末装置に配信済みの映像データであって、原映像から生成される第１の映像データを示す識別情報を取得する識別情報取得ステップと、前記端末装置が備える表示部に前記第１の映像データが提示されている間に前記端末装置が操作されることにより生成され、前記原映像における第２の映像データの提示開始位置を示す提示開始位置情報を含む設定情報を取得する設定情報取得ステップと、前記識別情報取得ステップにおいて取得される前記識別情報及び前記設定情報取得ステップにおいて取得される前記設定情報に基づいて、前記第１の映像データとは異なる映像であって、前記提示開始位置以降の前記原映像から生成される第２の映像データを前記端末装置に対して出力する映像出力ステップとを含む映像データ配信方法である。
【００１３】
（８）本発明の一態様は、自装置に配信済みの映像データであって、原映像から生成される第１の映像データを示す識別情報を映像データ配信装置に対して出力する識別情報出力部と、自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力部と、前記第１の映像データとは異なる映像であって、前記提示開始位置以降の前記原映像から生成される第２の映像データを映像データ配信装置から取得する映像取得部と、を備える端末装置である。
【００１４】
（９）本発明の一態様は、上記（８）に記載の端末装置において、前記設定情報出力部が、前記原映像における前記第２の映像データの提示開始位置を指定する操作が検出された際に生成された前記提示開始位置情報を含む前記設定情報を出力してもよい。
【００１５】
（１０）本発明の一態様は、上記（８）又は（９）に記載の端末装置において、前記設定情報出力部が、選手情報、無線通信の種類の情報、視点情報、端末情報及び位置情報の少なくとも一つを更に含む前記設定情報を出力してもよい。
【００１６】
（１１）本発明の一態様は、上記（８）から（１０）のいずれか一つに記載の端末装置において、自装置が備える記憶部に前記第２の映像データが記憶されていると判定された場合、前記設定情報に対応する前記第２の映像データを自装置に配信するよう前記映像データ配信装置に要求してもよい。
【００１７】
（１２）本発明の一態様は、端末装置に、自装置に配信済みの映像データであって、原映像から生成される第１の映像データを示す識別情報を映像データ配信装置に対して出力する識別情報出力機能と、自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力機能と、前記第１の映像データとは異なる映像であって、前記提示開始位置以降の前記原映像から生成される第２の映像データを映像データ配信装置から取得する映像取得機能と、を実現させる端末装置制御プログラムである。
【００１８】
（１３）本発明の一態様は、自装置に配信済みの映像データであって、原映像から生成される第１の映像データを示す識別情報を映像データ配信装置に対して出力する識別情報出力ステップと、自装置が備える表示部に前記第１の映像データが提示されている間に自装置が操作されることにより生成され、前記原映像における第２の映像データの提示開始位置を示す提示開始位置情報を含む設定情報を前記映像データ配信装置に対して出力する設定情報出力ステップと、前記第１の映像データとは異なる映像であって、前記提示開始位置以降の前記原映像から生成される第２の映像データを映像データ配信装置から取得する映像取得ステップと、を含む端末制御方法である。
【発明の効果】
【００１９】
本発明によれば、端末装置に大容量コンテンツを配信することができる映像配信システム、映像データ配信装置、映像データ配信装置制御プログラム、映像データ配信方法、端末装置、端末装置制御プログラム及び端末制御方法を提供することができる。
【図面の簡単な説明】
【００２０】
【図１】第１の実施形態の映像配信システムの概要の一例を示す図である。
【図２】本実施形態の映像配信システムの機能構成の一例を示す図である。
【図３】識別情報リストの一例を示す図である。
【図４】本実施形態の映像配信システムの動作の一例を示す図である。
【図５】第２の実施形態の映像配信システムの機能構成の一例を示す図である。
【図６】設定情報の一例を示す図である。
【図７】表示部に表示される提示開始位置情報の生成に用いる画面表示の一例を示す図である。
【図８】表示部に表示される設定情報の生成に用いる画面表示の一例を示す。
【図９】第３の実施形態の映像配信システムの機能構成の一例を示す図である。
【図１０】視点情報を設定する画像の一例を示す図である。
【発明を実施するための形態】
【００２１】
＜第１の実施形態＞
以下、図面を参照して第１の実施形態の通信システムについて説明する。
図１は、第１の実施形態の映像配信システム１００の概要の一例を示す図である。
【００２２】
＜システムの概要＞
映像配信システム１００は、映像データ配信装置３を備える。映像データ配信装置３は、ネットワークＮＷを介して端末装置２と接続される。
映像データ配信装置３は、撮像装置によって撮像された映像データである原映像を画像処理することにより得られる高画質映像データＨＭを、端末装置２に対して配信する。高画質映像データＨＭとは、第２の映像データの一例である。以下の説明では、原映像は、スポーツの試合を撮像した映像の場合について説明する。
【００２３】
端末装置２は、例えばスマートフォンやタブレット端末であり、表示部２１と操作部２２とを備えている。操作部２２は、例えばタッチパネルを備えており、端末装置２のユーザーによって操作される。表示部２１は、例えば液晶ディスプレイを備えており、さまざまな画像を表示する。この表示部２１に表示される画像には、映像データ配信装置３から配信される情報に基づいて端末装置２が生成する画像が含まれている。端末装置２には、予め低画質映像データＬＭが記憶される。低画質映像データＬＭは、端末装置２に配信済みの映像データであって、原映像から生成される映像データである。低画質映像データＬＭとは、第１の映像データの一例である。なお、低画質映像データＬＭは、高画質映像データＨＭの画質を落とした映像データに限られない。低画質映像データＬＭは、原映像から生成される映像データであればよい。また、低画質映像データＬＭは、映像データ配信装置３によって、原映像から生成されたデータに基づいて、端末装置２が生成する映像データであってもよい。
【００２４】
具体的には、この低画質映像データＬＭは、端末装置２の処理の速度に適した映像データである。この低画質映像データＬＭには、例えば、原映像から生成されるＣＧ動画などが含まれる。このＣＧ動画は、例えば、原映像に基づいて生成される、多数の多角形の組み合わせ（例えば、ポリゴン）によって構成され、さらに光線の方向に基づく陰影処理やポリゴン表面のテクスチャマッピングがなされて表示される映像であってもよい。以下の説明では、このポリゴンによって構成される動画を、ポリゴン動画とも記載する。
【００２５】
また、このポリゴン動画に含まれるポリゴンは、原映像ＯＭに撮像された選手の画像を画像処理することにより生成される。具体的には、選手の骨格や重心位置などを既知の手段によって算出することにより、選手の画像をモデル化することにより得られるモデル情報に基づくものである。
端末装置２は、このモデル情報に対して、動き情報を与えることにより、ポリゴン動画を生成する。動き情報とは、例えば、原映像ＯＭに撮像された選手の画像を画像処理することにより生成され、モデル情報と共に予め端末装置２に配信された情報である。
【００２６】
つまり、低画質映像データＬＭは、端末装置２が提示するのに適した形態の映像データである。言い換えると、低画質映像データＬＭは上述したポリゴン動画データであり、高画質映像データＨＭデータは普通の映像フォーマットのデータである。
【００２７】
＜映像配信システム１００の機能構成＞
以下、図２を参照して、映像配信システム１００の具体的な機能構成の一例について説明する。
図２は、本実施形態の映像配信システム１００の機能構成の一例を示す図である。
【００２８】
＜端末装置２の機能構成＞
端末装置２は、上述した表示部２１と、操作部２２とに加え、記憶部２３と、制御部２０とを備える。
記憶部２３は、不揮発性の半導体メモリ等によって構成され、上述した低画質映像データＬＭが記憶される。
制御部２０は、例えばＣＰＵを備えており、種々の演算や情報の授受を行う。制御部２０は、映像一覧生成部２０１と、提示部２０２と、識別情報生成部２０３と、識別情報出力部２０４と、映像取得部２０５とを、その機能部として備える。この制御部２０は、操作部２２に対するユーザーの操作を検出する。
【００２９】
映像一覧生成部２０１は、映像リストを生成する。映像リストとは、記憶部２３に記憶される低画質映像データＬＭのタイトルや、サムネイル画像などのリストである。映像一覧生成部２０１は、この映像リストを表示部２１に対して表示させる。ユーザーは、この映像リストから低画質映像データＬＭを選択することにより、取得したい高画質映像データＨＭを指定する。映像一覧生成部２０１は、ユーザーの選択操作を検出する。
映像一覧生成部２０１は、ユーザーが選択した低画質映像データＬＭを、記憶部２３から取得する。映像一覧生成部２０１は、ユーザーが選択した低画質映像データＬＭを、提示部２０２に対して供給する。映像一覧生成部２０１は、ユーザーが選択した低画質映像データＬＭを、識別情報生成部２０３に対して供給する。
【００３０】
提示部２０２は、映像一覧生成部２０１から、ユーザーが選択した低画質映像データＬＭを取得する。提示部２０２は、映像一覧生成部２０１から取得した低画質映像データＬＭを表示部２１に表示させる。
識別情報生成部２０３は、映像一覧生成部２０１から、ユーザーが選択した低画質映像データＬＭを取得する。識別情報生成部２０３は、ユーザーが選択した低画質映像データＬＭを示す識別情報を生成する。この識別情報は、予め低画質映像データＬＭに含まれるデータである。具体的には、識別情報は、低画質映像データＬＭのファイル名や、低画質映像データＬＭの属性の情報などに基づいて生成される。識別情報生成部２０３は、生成した識別情報を、識別情報出力部２０４に対して供給する。
【００３１】
識別情報出力部２０４は、識別情報生成部２０３から識別情報を取得する。識別情報出力部２０４は、識別情報生成部２０３から取得した識別情報を、識別情報取得部３０１に対して供給する。
映像取得部２０５は、映像データ配信装置３から、ユーザーが選択した低画質映像データＬＭと対応する高画質映像データＨＭを取得する。
【００３２】
＜映像データ配信装置３の機能構成＞
映像データ配信装置３は、制御部３０と、記憶部３１とを備える。記憶部３１は、ハードディスクドライブやＲＯＭ（Ｒｅａｄ−Ｏｎｌｙ−ｍｅｍｏｒｙ）などの不揮発性メモリによって構成される。
制御部３０は、例えばＣＰＵを備えており、種々の演算や情報の授受を行う。制御部３０は、識別情報取得部３０１と、映像出力部３０２とをその機能部として備える。
【００３３】
識別情報取得部３０１は、端末装置２から出力される識別情報を取得する。この識別情報とは、上述したように、端末装置２を操作するユーザーによって選択された低画質映像データＬＭを示す情報である。識別情報取得部３０１は、端末装置２から取得した識別情報を、映像出力部３０２に対して供給する。
【００３４】
映像出力部３０２は、識別情報取得部３０１が取得する識別情報に基づいて、高画質映像データＨＭを端末装置２に対して出力する。この高画質映像データＨＭは、ユーザーが選択した低画質映像データＬＭの原映像から生成される。高画質映像データＨＭは、ユーザーが選択した低画質映像データＬＭとは異なる映像である。異なる映像とは、例えば、画質が異なる映像である。この一例では、高画質映像データＨＭは、低画質映像データＬＭよりも画質が高い映像データである。
映像出力部３０２は、記憶部３１に記憶される識別情報リストＳＩＬと、識別情報取得部３０１から取得する識別情報に基づいて、ユーザーが選択した低画質映像データＬＭと対応する高画質映像データＨＭを取得する。映像出力部３０２は、取得したユーザーが選択した低画質映像データＬＭと対応する高画質映像データＨＭを、映像取得部２０５に対して出力する。
【００３５】
ここで、図３を参照して、識別情報リストＳＩＬの一例について説明する。
図３は、識別情報リストＳＩＬの一例を示す図である。
識別情報リストＳＩＬは、識別情報ＳＩと、低画質映像データＬＭと、高画質映像データＨＭと、原映像ＯＭとが対応付けられた状態のリストである。
この一例では、識別情報リストＳＩＬには、識別情報リストＳＩＬ１と、識別情報リストＳＩＬ２とが含まれる。
【００３６】
識別情報リストＳＩＬ１は、識別情報ＳＩとして“識別情報１”と、低画質映像データＬＭとして“低画質映像データ１”と、高画質映像データＨＭとして“高画質映像データ１”と、原映像ＯＭとして“原映像データ１”とが対応付けられた状態の情報である。
また、識別情報リストＳＩＬ２は、識別情報リストＳＩＬには、識別情報ＳＩとして“識別情報２”と、低画質映像データＬＭとして“低画質映像データ２”と、高画質映像データＨＭとして“高画質映像データ２”と、原映像ＯＭとして“原映像データ２”とが対応付けられた状態の情報である。
【００３７】
映像出力部３０２は、ユーザーが選択した低画質映像データＬＭを識別する識別情報と、識別情報リストＳＩＬに含まれる識別情報ＳＩとに基づいて、ユーザーが選択した低画質映像データＬＭと対応する高画質映像データＨＭを選択する。具体的には、ユーザーが選択した低画質映像データＬＭを識別する識別情報が“識別情報２”を示す場合には、映像出力部３０２は、“高画質映像データ２”を出力する高画質映像データＨＭとして、記憶部３１から取得する。
【００３８】
＜映像配信システム１００の動作＞
次に、映像配信システム１００の動作について、図４を参照して説明する。
図４は、本実施形態の映像配信システム１００の動作の一例を示す図である。
【００３９】
（ステップＳ１００）映像一覧生成部２０１は、映像リストを生成する。映像一覧生成部２０１は、ユーザーが映像リストから低画質映像データＬＭを選択する操作を検出する。映像一覧生成部２０１は、ユーザーが選択した低画質映像データＬＭを、記憶部２３から取得する。映像一覧生成部２０１は、ユーザーが選択した低画質映像データＬＭを、識別情報生成部２０３に対して供給する。識別情報生成部２０３は、映像一覧生成部２０１からユーザーが選択した低画質映像データＬＭを取得する。識別情報生成部２０３は、映像一覧生成部２０１から取得した低画質映像データＬＭを示す識別情報を生成する。識別情報生成部２０３は、生成した低画質映像データＬＭを示す識別情報を、識別情報出力部２０４に対して供給する。識別情報出力部２０４は、識別情報生成部２０３から低画質映像データＬＭを示す識別情報を取得する。識別情報出力部２０４は、識別情報生成部２０３から取得した低画質映像データＬＭを示す識別情報ＳＩを、識別情報取得部３０１に対して出力する。
【００４０】
（ステップＳ２００）映像データ配信装置３は、端末装置２から識別情報を受信する。
識別情報取得部３０１は、識別情報生成部２０３から低画質映像データＬＭを示す識別情報を取得する。識別情報取得部３０１は、識別情報生成部２０３から取得した識別情報ＳＩを、映像出力部３０２に対して供給する。
（ステップＳ２１０）映像データ配信装置３は、端末装置２から取得した識別情報ＳＩが示す高画質映像データＨＭを送信する。具体的には、映像出力部３０２は、識別情報取得部３０１から低画質映像データＬＭを示す識別情報ＳＩを取得する。映像出力部３０２は、識別情報取得部３０１から取得した低画質映像データＬＭを示す識別情報ＳＩと対応する高画質映像データＨＭを、記憶部３１から取得する。映像出力部３０２は、記憶部３１から取得した高画質映像データＨＭを、映像取得部２０５に対して出力する。
【００４１】
（ステップＳ１１０）端末装置２は、映像データ配信装置３から高画質映像データを受信する。具体的には、映像取得部２０５は、映像出力部３０２から高画質映像データＨＭを取得する。
【００４２】
＜第１の実施形態のまとめ＞
以上説明したように、本実施形態の映像配信システム１００は、端末装置２に対して、端末装置２が選択した低画質映像データＬＭと対応する高画質映像データＨＭを配信する。端末装置２が選択する低画質映像データＬＭは、高画質映像データＨＭよりもデータの量が少ない映像データである。この低画質映像データＬＭは、ユーザーが選択した低画質映像データＬＭである。このため、映像配信システム１００は、ユーザーにデータ量の少ない映像データを提示することで、所望する高画質映像データＨＭを選択させる。これにより、映像配信システム１００は、この選択したデータ量の少ない映像データと対応する高画質映像データを、端末装置２に対して配信することができる。
したがって、本実施形態の映像配信システム１００によれば、端末装置に大容量コンテンツを配信することができる。
【００４３】
なお、上述した説明では、高画質映像データＨＭは、低画質映像データＬＭよりも画質が高い映像データである場合について説明したが、これに限られない。高画質映像データＨＭは、原映像ＯＭから生成される映像であればよい。具体的には、高画質映像データＨＭは、低画質映像データＬＭよりも音質がよい映像データであってもよい。高画質映像データＨＭは、低画質映像データＬＭよりも映像の圧縮率が低い映像データであってもよい。高画質映像データＨＭは、低画質映像データＬＭよりも縦横のピクセルサイズが異なる画像であってもよい。高画質映像データＨＭは、原映像ＯＭに基づいて生成されるＣＧ（ｃｏｍｐｕｔｅｒ  ｇｒａｐｈｉｃｓ）映像であってもよい。また、高画質映像データＨＭは、原映像ＯＭであってもよい。
【００４４】
なお、上述した説明では、映像データ配信装置３は、高画質映像データＨＭが予め記憶部３１に記憶される場合について説明したが、これに限られない。映像データ配信装置３は、他の装置、例えば、原映像ＯＭから高画質映像データＨＭを生成するサーバ装置などから高画質映像データＨＭを取得してもよい。また、映像データ配信装置３は端末装置２から識別情報ＳＩを受信した後に、映像データ配信装置３において高画質映像データＨＭを生成してもよい。この場合、映像出力部３０２は、識別情報取得部３０１から取得した識別情報に対応する原映像ＯＭに圧縮等の画像処理を施し、高画質映像データＨＭを生成し、映像取得部２０５に対して出力する。
【００４５】
なお、上述した説明では、低画質映像データＬＭは、予め記憶部２３に記憶される構成について説明したが、これに限られない。低画質映像データＬＭは、上述したように、端末装置２によって生成されるポリゴン動画であってもよい。この場合には、低画質映像データＬＭは、予め記憶部２３に記憶される必要はない。端末装置２は、予め映像データ配信装置３から取得し、記憶部２３に記憶されたポリゴン動画の生成に用いるモデル情報及び動き情報に基づいて、識別情報ＳＩを生成する。また、このポリゴン動画の生成に用いられるデータは、高画質映像データＨＭよりもデータの量が少ない。これにより、端末装置２は、多くの映像データを、自装置に記憶させることができる。
また、端末装置２は、このポリゴン動画に基づいて、高画質映像データＨＭを受信することができる。
【００４６】
＜第２の実施形態＞
次に、図を参照して、第２の実施形態の映像配信システムについて説明する。第２の実施形態の映像配信システムは、端末装置から指定される設定に基づく高画質映像データＨＭを、映像データ配信装置から端末装置に対して供給する。
図５は、第２の実施形態の映像配信システム１００ａの機能構成の一例を示す図である。
映像配信システム１００ａは、端末装置２ａが、取得する高画質映像データＨＭの設定を示す設定情報を生成する機能を備える点において、上述した第１の実施形態と異なる。
以下、各機能について説明する。なお、上述した第１の実施形態と同一の構成及び動作については、同一の符号を付してその説明を省略する。
【００４７】
＜設定情報を生成する機能＞
端末装置２ａは、制御部２０ａが設定情報生成部２０８と、提示開始位置情報生成部２０６と、設定情報出力部２０７と、提示部２０２ａとを、その機能部として備える。
設定情報生成部２０８は、高画質映像データＨＭの設定を示す設定情報を生成する。
提示開始位置情報生成部２０６は、原映像データＯＭにおける高画質映像データＨＭの提示の開始位置を示す提示開始位置情報を生成する。開始位置とは、高画質映像データＨＭの総提示時間のうちの、提示を開始する時間のことである。設定情報生成部２０８は、提示開始位置情報生成部２０６が生成する提示開始位置情報が含まれる設定情報を生成する。
設定情報出力部２０７は、設定情報を、識別情報生成部２０３に対して出力する。映像取得部２０５は、開始位置以降の高画質映像データＨＭを取得する。
提示部２０２ａは、映像データを表示部２１に提示する。
【００４８】
映像データ配信装置３ａは、制御部３０ａが設定情報取得部３０３を、その機能部として備える。
設定情報取得部３０３は、設定情報出力部２０７から設定情報を取得する。設定情報取得部３０３は、設定情報出力部２０７から取得した設定情報を、映像出力部３０２に対して供給する。
映像出力部３０２は、設定情報取得部３０３が取得する設定情報に応じた高画質映像データＨＭを、映像取得部２０５に対して出力する。具体的には、映像出力部３０２は、上述した識別情報ＳＩと、設定情報とに対応する高画質映像データＨＭを、記憶部３１から取得する。映像出力部３０２は、記憶部３１から取得した識別情報ＳＩと、設定情報とに対応する高画質映像データＨＭを、映像取得部２０５に対して出力する。
【００４９】
ここで、図６を参照して、設定情報生成部２０８が生成する設定情報について説明する。
図６は、設定情報ＭＳＩの一例を示す図である。
【００５０】
設定情報ＭＳＩには、高画質映像データＨＭの映像の画質や、音質、開始位置や、終了位置の情報が含まれる。終了位置とは、高画質映像データＨＭの総提示時間のうちの、提示を終了する時間のことである。
提示部２０２ａは、提示部２０２ａが低画質映像データＬＭを提示中に提示開始位置情報が生成される場合には、提示中の低画質映像データＬＭを、提示開始位置情報が示すデータの提示開始位置以降の高画質映像データＨＭに切り替える。この場合には、提示開始位置情報が示す開始位置とは、提示部２０２ａが提示中の低画質映像データＬＭの提示位置である。
【００５１】
図７は、表示部２１に表示される提示開始位置情報の生成に用いる画面表示の一例を示す図である。
【００５２】
図７（ａ）は、表示部２１に提示された、ユーザーが選択した低画質映像データＬＭの一例を示す図である。
図７（ａ）に示す画像ＵＩ１には、映像データを提示する提示部ＭＳＰと、この映像データの提示中の提示位置を示す時間軸ＴＬと、映像データ切り替えボタンＳＢとが含まれる。
図７（ａ）に示す提示部ＭＳＰには、ユーザーが選択した低画質映像データＬＭが表示される。この一例では、低画質映像データＬＭは、スタジアムでの試合の映像である。また、時間軸ＴＬには、ユーザーが選択した低画質映像データＬＭの総提示時間である“０１：００：００”が表示される。また、現在提示中の提示位置として、“００：４８：００”が表示される。これは、総提示時間１時間の映像データうちの、４８分の位置の映像を表示していることを示す。
【００５３】
ここで、ユーザーは、映像データ切り替えボタンＳＢをタッチすると、このタッチ操作を検出した提示開始位置情報生成部２０６は、提示開始位置“４８：００”、提示終了位置“０１：００：００”の提示開始位置情報を生成する。この提示開始位置情報が含まれる設定情報ＭＳＩを取得した映像データ配信装置３ａは、高画質映像データＨＭを、提示開始位置情報が示す提示開始位置から端末装置２ａに対して配信する。提示部２０２ａは、提示中の低画質映像データＬＭから、提示開始位置情報が示すデータの提示開始位置以降の高画質映像データＨＭに映像データを切り替える。
なお、この終了位置“０１：００：００”は、提示開始位置情報に含まれなくてもよい。映像取得部２０５は、提示終了位置が含まれない場合には、総提示時間のうちの末尾の位置までの映像データが取得すればよい。
【００５４】
なお、図７（ｂ）は、開始位置と終了位置とを設定する画像ＵＩ２の一例である。
開始位置ＳＰと終了位置ＥＰとにより、提示開始位置情報生成部２０６が生成する提示開始位置情報に含める位置が指定される。
この図７（ｂ）に示す開始位置情報の場合には、提示部２０２ａは、提示終了位置“００：５０：００”まで高画質映像データＨＭの提示が終わると、低画質映像データＬＭに切り替えて提示を継続してもよい。また、提示部２０２ａは、提示終了位置“００：５０：００”まで高画質映像データＨＭを提示し、提示が終了した時点で、その旨をユーザーに通知してもよい。
【００５５】
次に図８を参照して、高画質映像データＨＭの画質や音質を示す設定情報ＭＳＩの生成方法について説明する。
図８は、表示部２１に表示される設定情報ＭＳＩの生成に用いる画面表示の一例を示す。
本実施形態では、設定情報ＭＳＩに含まれる画質の指定や、音質の指定は、それぞれ圧縮率によって指定される。圧縮率が高いほど、高画質映像データＨＭの画質や音質は、原映像ＯＭとの画質や音質と比較して低下する。圧縮率が低いほど画質や音質は向上し、高画質映像データＨＭと原映像ＯＭとの画質や音質との差は小さくなる。
【００５６】
＜第２の実施形態のまとめ＞
以上説明したように、本実施形態の映像配信システム１００ａは、端末装置２ａに対して、設定情報ＭＳＩによって示される設定の高画質映像データＨＭを配信する。設定情報ＭＳＩが示す設定は、端末装置２ａのユーザーの操作によって変更される。つまり、ユーザーは、所望する設定の高画質映像データＨＭを取得することができる。
【００５７】
また、この設定情報ＭＳＩには、提示開始位置情報が含まれる。これにより、高画質映像データＨＭの取得を開始する位置を変更することができる。また、提示部２０２ａは、低画質映像データＬＭを提示中に提示開始位置情報が含まれる設定情報ＭＳＩが生成される場合には、低画質映像データＬＭから高画質映像データＨＭに提示する映像データを切り替えることができる。これにより、低画質映像データＬＭを視聴しているユーザーは、映像の視聴を中断することなく、高画質映像データＨＭを楽しむことができる。
また、設定情報ＭＳＩに、提示終了位置が含まれる場合には、大容量コンテンツのうちの一部分のコンテンツを配信することができる。映像配信システム１００ａは、例えば、サッカーの試合が録画された動画コンテンツの場合、ゴールシーンなどの動画の一部分を高画質映像データＨＭとして端末装置２ａに配信することができる。なお、端末装置２ａは、低画質映像データＬＭを提示中に設定情報ＭＳＩが生成された場合には、設定情報ＭＳＩに対応する高画質映像データＨＭが記憶部２３に記憶されているか否かを判定する。
高画質映像データＨＭが記憶部２３に記憶されている場合には、記憶部２３に記憶されている高画質映像データＨＭを提示する。端末装置２ａは、記憶部２３に設定情報ＭＳＩに対応する高画質映像データＨＭが記憶されていない場合には、映像データ配信装置３ａに対して、設定情報ＭＳＩに対応する高画質映像データＨＭの配信を要求する。この場合、端末装置２ａは高画質映像データＨＭの配信要求を映像データ配信装置３ａに供給する旨をユーザーに通知し、ユーザーが承諾した場合に限り配信要求を供給してもよい。
【００５８】
なお、上述した設定情報ＭＳＩには、選手情報の指定、無線通信の種類の情報、端末情報などが含まれてもよい。
選手情報の指定とは、例えば、原映像ＯＭの映像中に、選手が映っている映像を指定することである。この指定には、例えば、選手の静止画像などを指定すればよい。映像配信システム１００ａは、原映像ＯＭのうちから、指定された選手が写っている部分の映像を、高画質映像データＨＭとして、端末装置２ａに配信する。この場合には、映像データ配信装置３ａは、選手の静止画像に含まれる情報、例えば、ユニフォームの意匠、背番号や身体的特徴などに基づいて、選手が映っている映像を選択する。
【００５９】
無線通信の種類の情報とは、端末装置２ａと映像データ配信装置３ａとの間の通信に用いられる無線通信に関する情報であり、例えば、無線ＬＡＮや、ＬＴＥなどを示す無線通信種別情報や、通信のスループット等の通信品質情報などである。この場合には、映像配信システム１００ａは、無線通信の種類の情報に基づいて、無線通信の速さや通信品質に応じた画質の高画質映像データＨＭを配信することができる。
【００６０】
端末情報には、端末装置２ａの性能を示す情報が含まれる。端末装置２ａの性能である処理速度や提示環境は、端末装置２ａが備える演算装置の種類や動作周波数、メモリのアクセス速度や容量、画像処理エンジンの種類や動作周波数などにより定まる。例えば、端末情報とは、オペレーティングシステムの情報、機種を示す情報、映像データを提示するアプリケーション名、映像データをデコードするデコーダーを示す情報、ＣＰＵの性能や種類を示す情報、ディスプレイ画素数の情報（解像度の情報）、ディスプレイの大きさを示す情報などである。この場合には、映像配信システム１００ａは、端末装置２ａの処理速度や、高画質映像データＨＭの提示環境に応じた高画質映像データＨＭを配信することができる。この場合には、映像データ配信装置３ａが備える記憶部３１には、上述した端末情報に含まれる情報とそれぞれ対応する高画質映像データＨＭが記憶される。映像データ配信装置３ａは、端末装置２ａに対して、この記憶部３１に記憶される複数の高画質映像データＨＭのうちから、端末装置２ａから取得した端末情報に応じた高画質映像データＨＭを配信する。つまり、映像データ配信装置３ａは、端末装置２ａから取得する端末情報によって、端末装置２ａに適した高画質映像データＨＭを選択して、配信することができる。
【００６１】
また、映像データ配信装置３ａは、記憶部３１に、過去に端末装置２ａに対して配信した高画質映像データＨＭに対応する設定情報ＭＳＩと、この端末装置２ａを識別する端末識別情報とを対応付けた状態で記憶する。映像データ配信装置３ａは、記憶部に端末識別情報が記憶された端末装置２ａから、設定情報ＭＳＩを伴わない高画質映像データＨＭの配信要求を受信した場合には、端末識別情報に対応付けて記憶された設定情報ＭＳＩに基づいて高画質映像データＨＭを配信する。映像データ配信装置３ａは、記憶部に端末識別情報が記憶された端末装置２ａから、設定情報ＭＳＩを伴った高画質映像データＨＭの配信要求を受信した場合には、新たに受信した設定情報ＭＳＩを端末識別情報と対応付けて記憶するとともに、新たに受信した設定情報ＭＳＩに基づいて高画質映像データＨＭを配信する。
【００６２】
＜第３の実施形態＞
次に、図を参照して、第３の実施形態の映像配信システムについて説明する。第３の実施形態の映像配信システムは、映像の視点が設定された高画質映像データＨＭを、映像データ配信装置から端末装置に対して配信する。
図９は、第３の実施形態の映像配信システム１００ｂの機能構成の一例を示す図である。
【００６３】
映像配信システム１００ｂは、端末装置２ｂが、取得する高画質映像データＨＭの視点を示す視点情報を生成する機能を備える点において、上述した第２の実施形態と異なる。
映像データ配信装置３ｂは、この視点情報が示すカメラ位置から撮像した高画質映像データＨＭを送信する。このカメラ位置から撮像した高画質映像データＨＭは、互いに異なる位置に配置されたカメラから撮像された、複数の原映像ＯＭに基づいて生成されるＣＧ映像データである。以下の説明では、このＣＧ映像データの事を、自由視点映像とも記載する。自由視点映像は、第３の映像データの一例である。自由視点映像とは、複数の位置から撮像された映像である多視点映像を用いて生成される３次元の映像である。例えば、ユーザーは、この自由視点映像の視点の位置や、視点の角度などを指定することにより、所望する位置や、所望する角度からの映像に切り替えた映像を視聴することができる。ここで、多視点映像は、原映像ＯＭの一例である。上述した視点情報には、この自由視点映像の視点の位置や、視点の角度などが含まれる。つまり、自由視点映像は、視点情報と、原映像ＯＭとに基づいて生成され、視点情報が示す視点と対応する映像である。
【００６４】
映像出力部３０２は、自由視点映像を、高画質映像データＨＭとして、端末装置２ｂに対して出力する。
以下、各機能について説明する。なお、上述した第１の実施形態及び第２の実施形態と同一の構成及び動作については、同一の符号を付してその説明を省略する。
【００６５】
＜視点情報を生成する機能＞
端末装置２ｂは、制御部２０ｂが視点情報生成部２０９を、その機能部として備える。
視点情報生成部２０９は、視点情報を生成する。
ここで、図１０を参照して、視点情報について説明する。
視点情報とは、低画質映像データＬＭで指定されるカメラの位置や、カメラが撮像する方向の情報である。このカメラの事を、以下の説明では、仮想カメラとも記載する。また、以下の説明では、仮想カメラの位置及び仮想カメラが撮像する方向のことを、視点とも記載する。
図１０は、視点情報を設定する画像ＵＩ４の一例を示す図である。
【００６６】
提示部ＭＳＰには、仮想カメラＣＡＭＩと、仮想カメラの位置を示す値ＣＡＭＰと、仮想カメラが撮像する方向を示す軸ＣＡＭＤとが含まれる。ここで、値ＣＡＭＰとは、自由視点映像の所定の面をＸ軸Ｙ軸が直交する面として、所定の面と法線方向にＺ軸を持つ値である。この一例では、所定の面がスタジアムの地面であって、Ｘ軸に３００、Ｙ軸に１００、Ｚ軸に０の位置に仮想カメラが位置する。軸ＣＡＭＤは、この一例では、Ｘ軸の負側の向きである。この値ＣＡＭＰと、軸ＣＡＭＤとは、端末装置２ｂを操作するユーザーによって入力される。視点情報には、この値ＣＡＭＰと、軸ＣＡＭＤとが含まれる。
【００６７】
ここで、ユーザーが値ＣＡＭＰと、軸ＣＡＭＤを入力する操作の一例について説明する。この一例では、低画質映像データＬＭが、上述したポリゴン動画の場合について説明する。ポリゴン動画とは、上述したように、選手の画像をモデル化したモデル情報を動き情報によって動かした３次元ＣＧ動画である。このポリゴン動画は、３次元ＣＧ動画である。このため、ユーザーは、仮想カメラＣＡＭＩを、所望する視点に配置することができる。ユーザーは、低画質映像データＬＭであるポリゴン動画によって設定した仮想カメラＣＡＭＩの視点を、視点情報として設定することにより、所望する視点から撮像された高画質映像データＨＭの配信を映像データ配信装置３ｂに対して要求する。これにより、映像データ配信装置３ｂは、ユーザーが所望する視点から撮像された高画質映像データＨＭを、端末装置２ｂに対して配信することができる。
【００６８】
図９に戻り、視点情報生成部２０９は、生成した視点情報を、設定情報生成部２０８ｂに対して供給する。設定情報生成部２０８ｂは、この視点情報が含まれる設定情報ＭＳＩを生成する。
【００６９】
設定情報取得部３０３は、設定情報出力部２０７から、視点情報が含まれる設定情報ＭＳＩを取得する。設定情報取得部３０３は、設定情報出力部２０７から取得した視点情報が含まれる設定情報ＭＳＩを、映像生成部３０４に対して供給する。また、識別情報取得部３０１は、映像生成部３０４に対して識別情報ＳＩを供給する。
【００７０】
映像生成部３０４は、設定情報取得部３０３から、視点情報が含まれる設定情報ＭＳＩを取得する。映像生成部３０４は、識別情報取得部３０１から識別情報ＳＩを取得する。
映像生成部３０４は、設定情報取得部３０３から取得した視点情報が含まれる設定情報ＭＳＩと、識別情報取得部３０１から取得した識別情報ＳＩとに基づいて、自由視点映像を生成する。具体的には、映像生成部３０４は、設定情報ＭＳＩが示す視点情報に基づいて、識別情報ＳＩが示す複数の原映像ＯＭから、自由視点映像を生成する。
【００７１】
映像生成部３０４は、生成した自由視点映像を、映像出力部３０２に対して供給する。
映像出力部３０２は、設定情報取得部３０３が取得する設定情報ＭＳＩに応じた自由視点映像を、映像取得部２０５に対して出力する。
【００７２】
＜第３の実施形態のまとめ＞
以上説明したように、本実施形態の映像配信システム１００ｂは、端末装置２ｂに対して視点情報に応じた位置から撮像された自由視点映像を配信する。視点情報が含まれる設定情報ＭＳＩは、端末装置２ａのユーザーの操作によって変更される。つまり、ユーザーは、所望する位置から撮像された自由視点映像を取得することができる。
【００７３】
なお、上述した説明では、自由視点映像がＣＧ映像の場合について説明したが、これに限られない。視点情報が示すカメラ位置と、原映像ＯＭを撮像したカメラの位置とが近い位置の場合には、このカメラが撮像した原映像ＯＭを、自由視点映像としてもよい。または、この視点情報とは単に、原映像ＯＭを撮像した複数のカメラのうちから一つのカメラを特定する情報でもよい。この場合には、映像配信システム１００ｂは、この視点情報によって特定されたカメラが撮像した原映像ＯＭを送信する。
【００７４】
また、上述した説明では、自由視点映像を映像生成部３０４が生成する構成について説明したが、これに限られない。映像データ配信装置３ｂは、予め生成された自由視点映像が記憶部３１に記憶されてもよい。映像生成部３０４が自由視点映像を生成する場合には、視点情報が示す視点位置と、生成された自由視点映像とを対応付けた状態で記憶部３１に記憶させてもよい。これにより、映像データ配信装置３ｂは、既に生成済みの視点位置からの自由視点映像の配信を要求された場合に、より短い時間で端末装置２ｂに対して供給することができる。
【００７５】
なお、上述した設定情報ＭＳＩには、端末装置２ｂの位置情報、端末識別情報などが含まれていてもよい。端末装置２ｂの位置情報とは、端末装置２ｂが低画質映像データＬＭを映像データ配信装置３ｂから受信したとき、又は、提示したときの端末装置２ｂの位置を示す情報である。例えば、提示場所を示す位置情報や、端末装置２ｂが通信をしていた無線ＬＡＮのアクセスポイントを識別する情報、移動体通信網の基地局を識別する識別情報などである。映像配信システム１００ｂは、この位置情報に基づいて、端末装置２ｂに対して高画質映像データＨＭを配信するか否かを決定してもよい。
【００７６】
また、映像データ配信装置３ｂは、設定情報ＭＳＩに含まれる視点情報に代わり、位置情報に基づいて高画質映像データＨＭを生成してもよい。具体的には、例えば、映像データ配信装置３ｂは、設定情報ＭＳＩに含まれる無線ＬＡＮのアクセスポイントを識別する情報が、スタジアムの観客席の特定の位置を示している場合には、その観客席を視点位置とする自由視点映像を生成し、端末装置２ｂに配信する。
【００７７】
また、この端末識別情報は、例えば、スポーツの試合の入場などに用いられる電子チケットＩＤなどでもよい。この場合には、映像配信システム１００ａは、スポーツの試合に来場したユーザーが所有する端末装置２ａに対して、高画質映像データＨＭを配信することができる。また、映像データ配信装置３ｂは、この電子チケットＩＤの種類に応じた高画質映像データＨＭを配信してもよい。例えば、映像データ配信装置３ｂは、この電子チケットＩＤの販売価格や、所定の期間内であれば複数回利用可能なチケットなどの種類に応じて、端末装置２ｂに配信する高画質映像データＨＭを異ならせる。
【００７８】
また、映像データ配信装置３ｂは、電子チケットＩＤに基づいて自由視点映像を生成してもよい。具体的には、電子チケットＩＤにより、スタジアムの観客席の位置が特定される場合には、上述したように、映像データ配信装置３ｂは、その観客席の位置を視点位置とする自由視点映像を生成し、端末装置２ｂに対して配信する。これにより、端末装置２ｂの所有者がスタジアムで見た映像と同一の映像を、端末装置２ｂ上で提示することができる。
【００７９】
また、映像配信システム１００ｂがスタジアムに位置している端末装置２ｂにのみ高画質映像データＨＭを配信する場合には、電子チケットＩＤが記憶された端末装置２ｂが、電子チケットＩＤとスタジアムに設置される無線ＬＡＮのアクセスポイントを識別する情報とを含む設定情報ＭＳＩを、映像データ配信装置３ｂに対して送信する。この電子チケットＩＤとアクセスポイントを識別する情報を受信した映像データ配信装置３ｂは、端末装置２ｂがスタジアムに位置しているとみなして、電子チケットＩＤと対応付けられた高画質映像データＨＭを、端末装置２ｂに対して配信してもよい。
【００８０】
なお、上述した第１の実施形態から第３の実施形態の映像取得部は、高画質映像データＨＭを、ストリーミング映像データとして取得してもよい。この場合には、映像出力部は、高画質映像データＨＭをストリーミングによって配信する。これにより、映像配信システムは、端末装置の記憶部の容量を考慮せずに、高画質映像データＨＭを配信することができる。また、端末装置は、ストリーミング映像データとして取得する場合には、高画質映像データＨＭの提示の開始を待つ時間を抑制することができる。
【００８１】
また、上述した第１の実施形態及び第２の実施形態の端末装置は、決済部と、決済情報出力部とを更に備えてもよい。
決済部は、高画質映像データＨＭに係る決済を行う。具体的には、決済部は、不図示の決済用のサーバに対して、高画質映像データＨＭの配信に係る決済をする。決済部は、例えば、取得する高画質映像データＨＭの総提示時間又は提示回数に応じて決められる金額を決済してもよい。決済部は、高画質映像データＨＭをストリーミング映像データとして取得する場合には、このストリーミング映像データを取得する時間に応じて決められる金額を決済してもよい。なお、映像データ配信装置３ｂが端末装置２ｂに対してストリーミング映像データを配信する場合には、端末装置２ｂではなく映像データ配信装置３ｂが上述した決済部と決済情報出力部とを備える構成であってもよい。
決済情報出力部は、決済部が決済した結果を示す決済情報を、映像データ配信装置に対して出力する。映像データ配信装置は、取得した決済情報に更に基づいて、高画質映像データＨＭを配信する。なお、この決済情報は、設定情報ＭＳＩに含まれていてもよい。
【００８２】
なお、上記の各実施形態における端末装置２、端末装置２ａ、端末装置２ｂ、映像データ配信装置３、映像データ配信装置３ａ及び映像データ配信装置３ｂが備える各部は、専用のハードウェアにより実現されるものであってもよく、また、メモリおよびマイクロプロセッサにより実現させるものであってもよい。
【００８３】
なお、端末装置２、端末装置２ａ、端末装置２ｂ、映像データ配信装置３、映像データ配信装置３ａ及び映像データ配信装置３ｂが備える各部は、メモリおよびＣＰＵ（中央演算装置）により構成され、端末装置２、端末装置２ａ、端末装置２ｂ、映像データ配信装置３、映像データ配信装置３ａ及び映像データ配信装置３ｂが備える各部の機能を実現するためのプログラムをメモリにロードして実行することによりその機能を実現させるものであってもよい。
【００８４】
また、端末装置２、端末装置２ａ、端末装置２ｂ、映像データ配信装置３、映像データ配信装置３ａ及び映像データ配信装置３ｂが備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００８５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００８６】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００８７】
１００，１００ａ，１００ｂ…映像配信システム、２，２ａ，２ｂ…端末装置、３，３ａ，３ｂ…映像データ配信装置、２０，２０ａ，２０ｂ，３０，３０ａ，３０ｂ…制御部、２１…表示部、２２…操作部、２３，３１…記憶部、３２，３２ａ…情報配信部、２０１…映像一覧生成部、２０２，２０２ａ…提示部、２０３…識別情報生成部、２０４…識別情報出力部、２０５…映像取得部、２０６…提示開始位置情報生成部、２０７…設定情報出力部、２０８，２０８ｂ…設定情報生成部、２０９…視点情報生成部、３０１…識別情報取得部、３０２…映像出力部、３０３…設定情報取得部、３０４…映像生成部
【図１】
2020022189.tif 000003
【図２】
2020022189.tif 000004
【図３】
2020022189.tif 000005
【図４】
2020022189.tif 000006
【図５】
2020022189.tif 000007
【図６】
2020022189.tif 000008
【図７】
2020022189.tif 000009
【図８】
2020022189.tif 000010
【図９】
2020022189.tif 000011
【図１０】
2020022189.tif 000012